(57)【要約】【課題】  遊戯性を備え、購入者の購買意欲が増進する自動販売機を提供する。【解決手段】  上部空間４と下部空間が形成された略箱体形状の装置本体２からなり、上記上部空間４には、商品を収容するための複数個のカセット６と、上下方向を軸とする回転軸５が備わり、上記カセット６は、少なくとも一側面の一部が解放又は透明部材で構成され、上記上部空間４の少なくとも前面は透明カバー３で覆われ、上記複数個のカセット６にはそれぞれ多種又は同種の商品が収容され、上記装置本体２の外側には、商品の購入者が商品を選択するための選択部１０が備わり、上記装置本体２には、上記商品を取り出すための取り出し口１５が備わる。【選択図】        図１
0003126061.tif 000002
【実用新案登録請求の範囲】
【請求項１】
基板を介して上部空間と下部空間が形成された略箱体形状の装置本体からなり、
上記上部空間には、商品を収容するための複数個のカセットと、上下方向を軸とする回転軸が備わり、
上記複数個のカセットは、上記回転軸を中心にして放射状に配設され、上記回転軸を中心に回転可能であり、
上記カセットは、少なくとも一側面の一部が解放又は透明部材で構成され、下端には受け板が備わり、当該受け板に上記商品を載置して順番に積み重ねて収容可能であり、
上記下部空間には、上記回転軸を回転させるモータと、上記商品を上記カセットの下端に位置する商品払い出し部から払い出すための払い出しアームと、当該払い出しアームを回転させるための払い出しモータが備わり、
上記商品払い出し部は、カセットの下端前面が開口し、受け板の前縁からカセットの背面の一部にかけて切欠きを有する構成であり、
上記基板には、上記払い出しアーム及び上記カセットから払い出された上記商品が通過する開口部が備わり、
上記上部空間の少なくとも前面は透明カバーで覆われ、
上記複数個のカセットにはそれぞれ多種又は同種の商品が収容され、
上記装置本体の外側には、商品の購入者が商品を選択するための選択部が備わり、
上記装置本体には、上記開口部を通過した上記商品を取り出すための取り出し口が備わることを特徴とする自動販売機。
【請求項２】
上記カセットの内側には、フィルム材が貼着されることを特徴とする請求項１に記載の自動販売機。
【請求項３】
上記商品払い出し部の側面には、商品の払い出し方向に突出するガイド板が形成されることを特徴とする請求項１又は２に記載の自動販売機。
【請求項４】
上記カセットの外側面には、当該カセットに収容される商品の見本を収容するための見本支持枠が形成されることを特徴とする請求項１〜３のいずれかに記載の自動販売機。
【請求項５】
上記装置本体の外側には、商品の購入の際に購入者が遊戯するための遊戯操作部が備わり、
上記上部空間には、上記遊戯の内容を表示する表示部が備わり、
上記装置本体には、上記遊戯の結果により、購入者に上記商品の選択回数を増加させる制御部を備えたことを特徴とする請求項１〜４のいずれかに記載の自動販売機。
【請求項６】
上記遊戯は、じゃんけんであることを特徴とする請求項５に記載の自動販売機。
【考案の詳細な説明】
【技術分野】
【０００１】
本考案は、購買意欲を増進させる自動販売機に関するものである。
【背景技術】
【０００２】
従来、自動販売機は販売機本体の前面が透明カバーで覆われ、その内側に商品が陳列され、購入者はその商品のうちから商品を選択して購入していた。しかし、商品が単に陳列されているのみでは、店頭に陳列していることと変わらないものであるため、自動販売機と店頭における購入者の購買意欲には、あまり差が生じていない。
【０００３】
一方、自動販売機は無人で販売できることから、販売者にとっては雇用の面からコストを削減できる。また、省スペースで販売できることからスペースを有効に利用できる。したがって、店頭に比して自動販売機での購買意欲を高めることは、コスト的、スペース的に有効である。
【考案の開示】
【考案が解決しようとする課題】
【０００４】
本考案は上記従来技術を考慮したものであって、遊戯性を備え、購入者の購買意欲が増進する自動販売機の提供を目的とするものである。
【課題を解決するための手段】
【０００５】
前記目的を達成するため、請求項１の考案では、基板を介して上部空間と下部空間が形成された略箱体形状の装置本体からなり、上記上部空間には、商品を収容するための複数個のカセットと、上下方向を軸とする回転軸が備わり、上記複数個のカセットは、上記回転軸を中心にして放射状に配設され、上記回転軸を中心に回転可能であり、上記カセットは、少なくとも一側面の一部が解放又は透明部材で構成され、下端には受け板が備わり、当該受け板に上記商品を載置して順番に積み重ねて収容可能であり、上記下部空間には、上記回転軸を回転させるモータと、上記商品を上記カセットの下端に位置する商品払い出し部から払い出すための払い出しアームと、当該払い出しアームを回転させるための払い出しモータが備わり、上記商品払い出し部は、カセットの下端前面が開口し、受け板の前縁からカセットの背面の一部にかけて切欠きを有する構成であり、上記基板には、上記払い出しアーム及び上記カセットから払い出された上記商品が通過する開口部が備わり、上記上部空間の少なくとも前面は透明カバーで覆われ、上記複数個のカセットにはそれぞれ多種又は同種の商品が収容され、上記装置本体の外側には、商品の購入者が商品を選択するための選択部が備わり、上記装置本体には、上記開口部を通過した上記商品を取り出すための取り出し口が備わることを特徴とする自動販売機を提供する。
【０００６】
また、請求項２の考案では、上記カセットの内側には、フィルム材が貼着されることを特徴としている。
【０００７】
また、請求項３の考案では、上記商品払い出し部の側面には、商品の払い出し方向に突出するガイド板が形成されることを特徴としている。
【０００８】
また、請求項４の考案では、上記カセットの外側面には、当該カセットに収容される商品の見本を収容するための見本支持枠が形成されることを特徴としている。
【０００９】
また、請求項５の考案では、上記装置本体の外側には、商品の購入の際に購入者が遊戯するための遊戯操作部が備わり、上記上部空間には、上記遊戯の内容を表示する表示部が備わり、上記装置本体には、上記遊戯の結果により、購入者に上記商品の選択回数を増加させる制御部を備えたことを特徴としている。
【００１０】
また、請求項６の考案では、上記遊戯は、じゃんけんであることを特徴としている。
【考案の効果】
【００１１】
請求項１の考案によれば、商品が収容されたカセットが回転軸を中心に回転し、この回転動作は透明カバーを通して購入者が視認可能であるため、購入者の目を惹き、購買意欲を増進させる。また、カセットの少なくとも一側面の一部が、上下にわたって解放されるため、購入者は当該カセット内の商品の有無を透明カバーを通して確実に認知できる。
【００１２】
請求項２の考案によれば、カセットの内側には、フィルム材が貼着されるため、商品をカセット内に収容する際に、カセット途中に商品が引っ掛かることがなく、円滑に商品の収容作業を行うことができる。
【００１３】
請求項３の考案によれば、商品払い出し部の側面には、商品の払い出し方向に突出するガイド板が形成されるため、購入者が商品を購入して商品が払い出される際に、確実に商品を基板に備わる開口部に投入することができる。
【００１４】
請求項４の考案によれば、カセットの外側面には、当該カセットに収容される商品の見本を収容するための見本支持枠が形成されるため、購入者は透明カバーを通して見本支持枠に載置された見本を参考にして商品を選択できるので、購入前に商品を吟味できる。
【００１５】
請求項５の考案によれば、装置本体の外側には、商品の購入の際に購入者が遊戯するための操作部が備わり、上部空間には、遊戯の内容を表示する表示部が備わるため、購入者は商品の購入のたびに遊戯をすることができ、商品の購入に加えて遊戯目的での購入が促進され、自動販売機での購買意欲が増進する。また、遊戯の結果により、購入者に商品の選択回数を増加させる制御部が備わるため、さらに購入者の購買意欲が増進する。
【００１６】
請求項６の考案によれば、遊戯は、じゃんけんであるため、万人が了知している遊戯であるので、需要者層が限定されることなく、誰でも気軽に遊戯し、購入することができる。
【考案を実施するための最良の形態】
【００１７】
本考案は、基板を介して上部空間と下部空間が形成された略箱体形状の装置本体からなり、上記上部空間には、商品を収容するための複数個のカセットと、上下方向を軸とする回転軸が備わり、上記複数個のカセットは、上記回転軸を中心にして放射状に配設され、上記回転軸を中心に回転可能であり、上記カセットは、少なくとも一側面の一部が解放又は透明部材で構成され、下端には受け板が備わり、当該受け板に上記商品を載置して順番に積み重ねて収容可能であり、上記下部空間には、上記回転軸を回転させるモータと、上記商品を上記カセットの下端に位置する商品払い出し部から払い出すための払い出しアームと、当該払い出しアームを回転させるための払い出しモータが備わり、上記商品払い出し部は、カセットの下端前面が開口し、受け板の前縁からカセットの背面の一部にかけて切欠きを有する構成であり、上記基板には、上記払い出しアーム及び上記カセットから払い出された上記商品が通過する開口部が備わり、上記上部空間の少なくとも前面は透明カバーで覆われ、上記複数個のカセットにはそれぞれ多種又は同種の商品が収容され、上記装置本体の外側には、商品の購入者が商品を選択するための選択部が備わり、上記装置本体には、上記開口部を通過した上記商品を取り出すための取り出し口が備わることを特徴とする自動販売機である。
【実施例１】
【００１８】
図１は本考案に係る自動販売機の正面図であり、図２は側面図である。
図示したように、本考案に係る自動販売機１は、略箱体形状の装置本体２からなり、上側の前面及び側面の一部は透明カバー３で覆われる。透明カバー３で覆われた装置本体２内の密閉された上部空間４には、上下方向を軸とする回転軸５と、これに連結される商品を収容するためのカセット６が配設される。上部空間４の上方には天板７及び天板を貫通して配設される電球８が備わる。
【００１９】
装置本体２の外側の中央付近には、操作パネル９が備わる。操作パネル９には、商品を選択するための複数のボタンからなる選択部１０と、遊戯を行う際に用いる複数のボタンからなる遊戯操作部１１が備わる。遊戯の内容は、上部空間４に配設された液晶表示体からなる表示部１２に表示される。遊戯は、例えばじゃんけんであり、この場合、遊戯操作部１１はグー、チョキ、パーの３つのボタンからなる。
【００２０】
装置本体２の下側前面には、硬貨投入口１３、スピーカー１４、商品取り出し口１５が備わる。装置本体２の下端にはキャスター１６及び高さ調整脚１７が備わる。キャスター１６で装置本体２を容易に移動させることができ、高さ調整脚１７をキャスター１６より長くすることにより、装置本体２を確実に地面に固定できる。
【００２１】
購入者は購入の際に、硬貨投入口１３に硬貨を投入する。すると、カセット６が回転軸５を中心に回転する。購入者はまず、遊戯操作部１１のいずれかのボタンを押す。この後、表示部１２にコンピュータでアトランダムに選択される仮想の相手のじゃんけんが表示され、勝敗が決定する。購入者が勝利した場合には、商品の選択を２回行うことができる。負けた場合は１回選択できる。この遊戯の勝敗による選択回数は装置本体２内の制御部１８で制御される。購入者は商品を選択して、選択部１０の該当する商品のボタンを押す。この後、商品を商品取り出し口１５から取り出す。
【００２２】
このように、購入者が商品を購入の際に、商品が収容されたカセット６が回転軸５を中心に回転し、この回転動作は透明カバー３を通して購入者が視認可能であるため、購入者の目を惹き、購買意欲が増進する。また、遊戯機能が備わるため、商品の購入に加え、遊戯目的での購入が促進され、やはり購買意欲が増進する。また、装置本体２には、遊戯の結果により、購入者に商品の選択回数を増加させる制御部１８が備わるため、さらに購入者の購買意欲が増進する。遊戯をじゃんけんとすれば、万人が了知している遊戯であるので、需要者層が限定されることなく、誰でも気軽に遊戯し、購入することができる。
【００２３】
図３は本発明に係る自動販売機の一部の縦断面図であり、図４は上部空間の横断面図である。
装置本体２内は、基板２８を介して上部空間４と下部空間２９に仕切られる。上部空間４に配設されるカセット６は、回転軸５を中心に放射状に配設され、支持アーム２７を介して回転軸５に軸支される。回転軸５は、下部空間２９に収容されるモータ３０により回転する。また、下部空間２９には、カセット６の商品払い出し部２５（図６、図７参照）から商品を払い出すための払い出しアーム３１及びこれを回転させる払い出しモータ３２が備わる。カセット６から払い出された商品は、基板２８に形成される開口部３３を通過して落下する。
【００２４】
図５は回転軸とカセットの接続構造を示す概略構成図である。
カセット６は上下２箇所で支持アーム２７を介して回転軸５に接続される。上側の接続は、支持アーム２７の上側に屈曲した端部２７ａをカセット６に設けられたネジ枠３４と蝶ナット３５で挟み込み、ネジ締めすることにより固定する。下側の接続は、カセット６に設けられた下面が開口した雌型部材３６に、支持アーム２７の上方に屈曲した端部２７ｂを差し込むことにより固定される。
【００２５】
図６はカセットの概略構成図であり、図７（Ａ）はカセットの上面図、（Ｂ）は側面図、（Ｃ）は正面図である。
カセット６は、上下方向を長辺とする略矩形体であり、前面の一部が上下にわたって開放された開放部２０を備える。また、側面の一部も開放され、開放部２１を備える。この開放部２０，２１により、購入者は当該カセット６内の商品の有無を確実に認知できる。なお、基板２８のカセット６が回転軸５廻りに回転して通過する箇所にセンサーを設け、商品の有無を、例えば商品の選択部１０に表示してもよい。このセンサーの例としては、後述する商品払い出し部２５の両側面を開口させて、この両側面の開口を貫通する光を検知する光センサーにより、商品の有無を検出することが考えられる。また、カセットは、角筒状のものでもよい。また、カセット６の内周断面は、収容する商品の横断面と相似形であり、やや大きい。このカセット６は、収容する商品の形状に合わせて、カセットの断面形状、大きさを選択して使用する。
【００２６】
カセット６の下端には受け板１９が備わり、ここに商品が載置される。また、カセット６の前面の下端は全面が開放され、側面は前方に突出するガイド板２４が形成されている。この受け板１９と、開放された前面と、側面で囲まれた部分で商品払い出し部２５を形成する。商品払い出し部２５の前面の開放面の高さは、収容する商品１個の高さよりやや高い。この商品払い出し部２５から商品が払い出される構造は後述（図３参照）する。商品は順番にカセット６内面に沿って積み重ねてカセット６内に収容される。受け板１９の前端１９ａは上方に折れ曲がって形成され、カセット６の回転等の振動に伴う商品の落下を防止する。受け板１９の前端からカセット６の背面の一部に連続して、切欠き２２が形成される。この切欠き２２を払い出しアーム３１（図３参照）が通過する。
【００２７】
カセット６の内面には、フィルム２３が貼着される。このフィルム２３は樹脂製の摩擦率が低いものである。フィルム２３は、上記開放部２１を裏側から被っている。したがって、商品をカセット６内に収容する際に、カセット６の途中で商品が引っ掛かることがなく、円滑に商品の収容作業を行うことができる。また、下端の商品が払いだされるごとにスムーズに商品がカセット６内を落下する。
【００２８】
カセット６の側面には、当該カセット６に収容される商品の見本を収容するための見本支持枠２６が備わる。このため、購入者は見本支持枠２６に載置された見本を参考にして商品を選択できるので、購入前に商品を吟味できる。
【００２９】
図８はカセットから商品を払い出す構造を示す概略構成図である。
上述したように、カセット６内には商品３７が積み重ねられて収容される。カセット６内の最下端、すなわち商品払い出し部２５に収容された商品３７は、払い出しアーム３１により払い出される。払い出しアーム３１は、払い出しモータ３２により矢印Ｒ方向に回転し、基板２８に形成された開口部３３を通過して商品３７を払い出す。このとき、払い出しアーム３１はカセット６の切欠き２２（図６、図７参照）を通過して後方から商品を前方に押し出す。払い出された商品３７は、開口部３３を通過して、その下側の落下通路３８を矢印Ｄ方向に落下する。商品払い出し部２５の側面にはガイド板２４が備わるため、商品は確実に開口部３３を通過する。落下通路３８は、商品取り出し口１５（図１参照）に通じている。
【００３０】
以上の機構により、商品購入者が、商品選択ボタンを押すと、モータ３０によりカセット６が回転し、選択した商品のカセット６が基板２８上の開口部３３の手前に達して回転が停止する。次に、払い出しモータ３２が回転して、払い出しアーム３１が当該カセット６の背面の切欠き２２からカセット６の商品払い出し部２５に入り、最下端の商品３７をカセット６から払い出す。このようにして、購入者の所望の商品が販売される。
【産業上の利用可能性】
【００３１】
本考案は、種々の商品を販売する自動販売機として適用できる。
【図面の簡単な説明】
【００３２】
【図１】本考案に係る自動販売機の正面図である。
【図２】図１の側面図である。
【図３】本発明に係る自動販売機の一部の縦断面図である。
【図４】上部空間の横断面図である。
【図５】回転軸とカセットの接続構造を示す概略構成図である。
【図６】カセットの概略構成図である。
【図７】（Ａ）はカセットの上面図、（Ｂ）は側面図、（Ｃ）は正面図である。
【図８】カセットから商品を払い出す構造を示す概略構成図である。
【符号の説明】
【００３３】
１：自動販売機、２：装置本体、３：透明カバー、４：上部空間、５：回転軸、６：カセット、７：天板、８：電球、９：操作パネル、１０：選択部、１１：遊戯操作部、１２：表示部、１３：硬貨投入口、１４：スピーカー、１５：商品取り出し口、１６：キャスター、１７：高さ調整脚、１８：制御部、１９：受け板、１９ａ：受け板の前端、２０：開放部、２１：開放部、２２：切欠き、２３：フィルム、２４：ガイド板、２５：商品払い出し部、２６：見本支持枠、２７：支持アーム、２７ａ、２７ｂ：支持アームの上側に屈曲した端部、２８：基板、２９：下部空間、３０：モータ、３１：払い出しアーム、３２：払い出しモータ、３３：開口部、３４：ネジ枠、３５：蝶ナット、３６：雌型部材、３７：商品、３８：落下通路
【図１】
0003126061.tif 000003
【図２】
0003126061.tif 000004
【図３】
0003126061.tif 000005
【図４】
0003126061.tif 000006
【図５】
0003126061.tif 000007
【図６】
0003126061.tif 000008
【図７】
0003126061.tif 000009
【図８】
0003126061.tif 000010